【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
（ａ）ある量の流体を保持するための、開いた上端及び閉じた下端を有する容器（１６）と、
（ｂ）該容器（１６）に満たされるべき流体中に、処理されるべき少なくとも一つのコンタクトレンズを保持するためのレンズ保持手段（３４，３６）と、
（ｃ）該容器（１６）と脱着自在に嵌合して、実質的に液体不浸透性であるシールを提供するための栓（１２）と、
（ｄ）該栓（１２）に取り付けられ、該栓（１２）から下向きに延びて該容器（１６）の中に入り、該閉じた下端に向かって延びる管状の流路（５０，６０）と、
該管状の流路（５０，６０）は、該栓（１２）から容器の閉じた下端へ延びており、流路（５０，６０）の底において少なくとも一つの開口を有することと、
（ｅ）該容器（１６）の閉じた下端は、該容器（１６）中に投入された錠剤（３７）が、閉じた下端の中央（４６）に実質的に着座するように漏斗状（４４）であることと、
（ｆ）管状の流路（５０，６０）は、流路（５０，６０）の最上部において少なくとも一つの開口（４０）を有し、流路（５０，６０）中の上向きの流れと管状の流路（５０，６０）及び容器（１６）間の下向きの流れを許容することと、
を含むことを特徴とする処理システム。
【請求項２】
該栓（１２）が容器（１６）からガスを追放すること可能にする開口（２８）を含む請求項１記載の処理システム。
【請求項３】
該流路（５０，６０）が、該栓（１２）から該容器の閉じた下端までの長さの少なくとも５０％の距離、好ましくは少なくとも７５％の距離を延びている、請求項２記載の処理システム。
【請求項４】
該流路（５０，６０）が、該栓（１２）から該容器の閉じた下端までの長さの少なくとも９０％の距離を延びている、請求項３記載の処理システム。
【請求項５】
該流路（５０，６０）が容器（１６）内で実質的に中央に位置し、容器の壁（４２）に対して実質的に並行に延びている請求項１ないし４の何れか一つに記載の処理システム。
【請求項６】
栓（１２）のシール手段（１８）と容器（１６）との間を延びる通気路を含む請求項１ないし５の何れか一つに記載の処理システム。
【請求項７】
栓（１２）が、栓及び容器（１６）に設けられた嵌め合いねじ（１４）を介して容器（１６）に対してシールする請求項１ないし６の何れか一つに記載の処理システム。
【請求項８】
管状の流路（５０，６０）が実質的に円筒形である請求項１ないし７の何れか一つに記載の処理システム。
【請求項９】
１個以上の錠剤（３７）を管状の流路（５０，６０）に対して整置するための、錠剤整置手段（４４，４６）をさらに含む請求項１ないし８の何れか一つに記載の処理システム。
【請求項１０】
容器（１６）が実質的に垂直な側壁（４２）を含み、錠剤整置手段が、
（ａ）実質的に水平な中央区域（４６）と、
（ｂ）中央区域（４６）から容器（１６）の実質的に垂直な側壁（４２）へと斜めに延びる周方向側壁（４４）とを含む請求項９記載の処理システム。
【請求項１１】
斜めの壁（４４）が中央区域（４６）に対して１２０°〜１５０°傾いている請求項１０記載の処理システム。
【請求項１２】
水平方向中央区域（４６）が１０〜２００mm2 の面積を有している請求項１０又は１１記載の処理システム。
【請求項１３】
流路（５０，６０）の長さが４mm〜５０mmである請求項１ないし１２の何れか一つに記載の処理システム。
【請求項１４】
流体が通過する流路（５０，６０）の断面積が１mm2 〜１００mm2 である請求項１ないし１３の何れか一つに記載の処理システム。
【請求項１５】
流体の混合を促進するための、該流路（５０，６０）中を延びる突起（６２）をさらに含む請求項１ないし１４の何れか一つに記載の処理システム。
【請求項１６】
流路（５０，６０）の底から１〜１０mm延びる流れ誘導部材（６４）をさらに含む請求項１ないし１５の何れか一つに記載の処理システム。
【請求項１７】
該流れ誘導部材（６４）が、容器（１６）の底に面する凹面を有する請求項１６記載の処理システム。
【請求項１８】
レンズ保持手段（３４，３６）が管状の流路（５０，６０）の外壁に取り付けられた請求項１記載の処理システム。
【請求項１９】
（ａ）ある量の流体を保持するのに適した、開いた上端及び閉じた下端を有する容器（１６）と、
（ｂ）該容器（１６）に満たされる流体中に、処理されるべき少なくとも一つのコンタクトレンズを保持するためのレンズ保持手段（３４，３６）と、
（ｃ）該容器（１６）と脱着自在に嵌合して、実質的に液体不浸透性であるシールを提供するための栓（１２）と、
（ｄ）該容器（１２）の底に隣接する地点から該栓よりも下の地点まで上向きに延び、流路（５０，６０）の底に少なくとも１個の開口を有する管状の流路（５０，６０）と、
（ｅ）該容器（１６）の閉じた下端は、該容器（１６）中に投入された錠剤（３７）が、閉じた下端の中央（４６）に実質的に着座するように漏斗状（４４）であることと、
（ｆ）該管状の流路（５０，６０）は、該容器（１６）に取付けられていることと、
（ｇ）該管状の流路（５０，６０）は、最上部に少なくとも一つの開口（４０）を有して、管状の流路（５０，６０）における上向きの流れ、及び管状の流路（５０，６０）と容器（１６）との間の下向きの流れを許容するようになっていることと、
を含むことを特徴とする処理システム。
【請求項２０】
管状の流路（５０，６０）が、栓（１２）から容器の閉じた下端までの長さの少なくとも５０％の距離を延びている請求項１９記載の処理システム。
【請求項２１】
該栓（１２）が、容器（１６）からガスを放出するための開口（２８）を有している請求項２０記載の処理システム。
【請求項２２】
該流路（１２）が容器（１６）内で実質的に中央に位置し、容器の壁（４２）に対して実質的に並行に延びている請求項１９ないし２１の何れか一つに記載の処理システム。
【請求項２３】
容器（１６）が実質的に垂直な側壁（４２）を含み、且つ１個以上の錠剤（３７）を管状の流路（５０，６０）に整置する手段を更に含み、錠剤整置手段は、
（ａ）実質的に水平な中央区域（４６）と、
（ｂ）中央区域（４６）から容器（１６）の実質的に垂直な側壁（４２）へと斜めに延びる周方向側壁（４４）とを含む請求項１９ないし２２の何れか一つに記載の処理システム。
【請求項２４】
（ａ）ある量の流体を保持するのに適合した、開いた上端及び閉じた下端を有する容器（１６）を用意する段階と、
（ｂ）該容器（１６）に満たされる流体中に、処理されるべき少なくとも一つのコンタクトレンズを保持するためのレンズ保持手段（３４，３６）を設ける段階と、
（ｃ）該容器（１６）と脱着自在に嵌合して、実質的に液体不浸透性であるシールを提供する栓（１２）を設ける段階と、
（ｄ）該栓（１２）に取付けられ、該栓（１２）から下向きに延びて容器（１６）の中へ入り、該閉じた下端に向って延び、栓（１２）から容器の閉じた下端へ延び、且つ流路（５０，６０）の底に少なくとも一つの開口を有する管状の流路（５０，６０）を設けることによって、
（ｅ）該容器（１６）は、漏斗状（４４）の閉じた下端を有し、
（ｆ）該管状の流路（５０，６０）は、最上部に少なくとも一つの開口（４０）を有するようにした方法であって、
該方法は更に、
（ｇ）容器（１６）の下端に発泡手段を設けることにより、管状の流路（５０，６０）を通って上向きに通過する流れと、管状の流路（５０，６０）と容器（１６）との間に下向きの流れとを生じさせる段階と、
を含むことを特徴とする容器中で流体を混合する方法。
【請求項２５】
（ａ）ある量の流体を保持するのに適合した、開いた上端及び閉じた下端を有する容器（１６）を用意する段階と、
（ｂ）該容器（１６）に満たされる流体中に、処理されるべき少なくとも一つのコンタクトレンズを保持するためのレンズ保持手段（３４，３６）を設ける段階と、
（ｃ）該容器（１６）と脱着自在に嵌合して、実質的に液体不浸透性であるシールを提供する栓（１２）を設ける段階とを含む、コンタクトレンズを処理する方法であって、栓（１２）は、
（１）栓（１２）に取付けられ、栓（１２）から容器（１６）の中へ実質的に垂直に延びている支持幹と、
（２）支持幹内の管状の流路（５０，６０）であって、該管状の流路（５０，６０）は該栓（１２）から閉じた下端に向かって容器（１６）中を下向きに延び、該管状の流路（５０，６０）は、その下端において少なくとも一つの開口を有し、それによって、
（ｄ）該容器（１６）は、漏斗状（４４）の閉じた下端を有し、
（ｅ）該管状の流路（５０，６０）は、最上部に少なくとも一つの開口（４０）を有するようにした方法であって、該方法は更に、
（ｆ）容器（１６）の下端に発泡手段を設けることにより、管状の流路（５０，６０）を通って上向きに通過する流れと、管状の流路（５０，６０）と容器（１６）との間に、且つレンズ保持手段を通過する下向きの流れとを生じさせる段階と、
を含むことを特徴とするコンタクトレンズを処理する方法。
【請求項２６】
複数のレンズが同時に洗浄され且つ消毒される、請求項２５記載の方法。